(57)【要約】【課題】メガネのテンプルの折り畳み作業を独立して行うことなくテンプルを折り畳んだ状態で収容することができるメガネケースを提供する。【解決手段】メガネケース１００は、収容本体１０１を備えている。収容本体１０１は、メガネＧの幅および高さに対して一回り大きな略長方形状に形成された底部１０２の各辺上に板状の側壁１０３が起立して設けられることにより底部１０２に対向して収容側開口部１０４が形成された箱状に形成されている。収容本体１０１は、収容側開口部１０４の辺上にヒンジ部１１０を介して蓋体１２０が設けられている。蓋体１２０は、開いた状態において収容本体１０１の収容側開口部１０４から露出するメガネＧの耳あて部Ｅを覆うことができる大きさでかつ収容本体１０１が出し入れ自在に嵌合する凹状に窪んだ形状に形成されている。これにより、メガネケース１００は、メガネＧのテンプルを湾曲させながら蓋体１２０が閉じられる。【選択図】  図１
2014213120.tif 000002
【特許請求の範囲】
【請求項１】
メガネを出し入れするための収容側開口部を有した収容本体と、
前記収容本体にヒンジを介して可動的に設けられて前記収容側開口部を開閉時自在に覆う蓋体とを備えたメガネケースにおいて、
前記収容本体は、
前記メガネにおける耳あて部を前記収容側開口部から露出させた状態で収容する深さで形成されており、
前記蓋体は、
前記収容本体から露出する前記耳あて部を覆うことができる大きさに形成されていることを特徴とするメガネケース。
【請求項２】
請求項１に記載したメガネケースにおいて、
前記蓋体は、
前記収容本体における前記収容側開口部を閉じた際に同収容側開口部を閉塞することを特徴とするメガネケース。
【請求項３】
請求項１または請求項２に記載したメガネケースにおいて、
前記収容本体は、
前記メガネにおけるレンズを収容する側から前記収容側開口部に向かって広がって形成されていることを特徴とするメガネケース。
【請求項４】
請求項１ないし請求項３のうちのいずれか１つに記載したメガネケースにおいて、
前記蓋体は、
前記耳あて部が接触する内壁面が曲面部を有して形成されていることを特徴とするメガネケース。
【請求項５】
請求項１ないし請求項４のうちのいずれか１つに記載したメガネケースにおいて、
前記蓋体は、
前記収容側開口部とともに前記収容本体における外壁部の少なくとも一部も覆う形状に形成されていることを特徴とするメガネケース。
【請求項６】
請求項１ないし請求項５のうちのいずれか１つに記載したメガネケースにおいて、
前記蓋体は、
前記収容本体における前記収容側開口部の長手方向の縁部から前記蓋体の長手方向が開放された状態でかつ同収容側開口部を覆うことができる形状で延びて形成されていることを特徴とするメガネケース。
【発明の詳細な説明】
【技術分野】
【０００１】
本発明は、メガネを収容するメガネケースに関する。
【背景技術】
【０００２】
従来から、メガネを保管や持ち運ぶ場合にメガネケースが用いられている。メガネケースは、メガネを保護するための収容用具であり、箱型や袋型に形成されている。例えば、下記特許文献１には、折り畳んだ状態のメガネを収容する収容本体と、この収容本体の開口部を開閉自在に覆う蓋体とによって箱型に形成されたメガネケースが開示されている。
【先行技術文献】
【特許文献】
【０００３】
【特許文献１】特開２００４−２０１９２３号公報
【０００４】
しかしながら、上記特許文献１に記載されたメガネケースにおいては、メガネを収容本体に収容して蓋体を閉じる際、メガネのテンプルを折り畳んだ状態にした後に蓋体を閉じる必要があるため、メガネの収容作業が煩雑であるという問題があった。特に、メガネにおけるレンズに対してテンプルを可動的に支持するヒンジに代えてテンプル自身を湾曲可能に構成した所謂ヒンジレス型メガネにおいては、メガネのテンプルの弾性力に抗して折り畳んだ状態を維持しながら蓋体を閉じる作業が決めて煩雑かつ困難であるという問題があった。
【０００５】
本発明は上記問題に対処するためなされたもので、その目的は、メガネのテンプルの折り畳み作業を独立して行うことなくテンプルを折り畳んだ状態で収容することができるメガネケースを提供することにある。
【発明の概要】
【０００６】
上記目的を達成するため、本発明の特徴は、メガネを出し入れするための収容側開口部を有した収容本体と、収容本体にヒンジを介して可動的に設けられて収容側開口部を開閉時自在に覆う蓋体とを備えたメガネケースにおいて、収容本体は、メガネにおける耳あて部を収容側開口部から露出させた状態で収容する深さで形成されており、蓋体は、収容本体から露出する耳あて部を覆うことができる大きさに形成されていることにある。
【０００７】
このように構成した本発明の特徴によれば、メガネケースは、メガネを収容する収容本体がメガネの耳あて部を露出する深さに形成されるとともにこの収容本体を覆う蓋体が収容本体から露出した耳あて部を覆うことができる大きさで構成されている。したがって、ユーザは、メガネのテンプルが開いた状態でメガネを収容本体内に収容した後、蓋体を閉じることにより収容本体から露出する耳あて部を蓋体が押圧することによりテンプルを折り畳みながら蓋体を閉めることができる。すなわち、本発明に係るメガネケースは、蓋体を閉じることによってメガネのテンプルを折り畳むことができる。これにより、本発明に係るメガネケースは、メガネのテンプルの折り畳み作業を独立して行うことなくテンプルを折り畳んだ状態で収容することができる。
【０００８】
また、本発明の他の特徴は、前記メガネケースにおいて、蓋体は、収容本体における収容側開口部を閉じた際に同収容側開口部を閉塞することにある。
【０００９】
このように構成した本発明の他の特徴によれば、メガネケースは、蓋体が収容本体の収容側開口部を閉じた際に同収容側開口部を閉塞するように構成されている。これにより、メガネケースは、メガネのテンプルをより小さく折り畳むことができるとともにメガネケース自体の大きさを小型化することができる。
【００１０】
また、本発明の他の特徴は、前記メガネケースにおいて、収容本体は、メガネにおけるレンズを収容する側から収容側開口部に向かって広がって形成されていることにある。
【００１１】
このように構成した本発明の他の特徴によれば、メガネケースは、収容本体がメガネにおけるレンズを収容する側から収容側開口部に向かって広がって形成されているため、収容本体内におけるメガネのレンズ側のズレを抑制しながらテンプルの傾斜角を調整することができ、耳あて部を耳あてカバー部内に挿入し易くなる。
【００１２】
また、本発明の他の特徴は、前記メガネケースにおいて、蓋体は、耳あて部が接触する内壁面が曲面部を有して形成されていることにある。
【００１３】
このように構成した本発明の他の特徴によれば、メガネケースは、蓋体の内壁部が曲面部を有して形成されているため、蓋体を閉じる際にメガネの耳あてを曲面部に沿って変位させることができテンプルを円滑に折り畳むことができるとともに蓋体を円滑に閉じることができる。
【００１４】
また、本発明の他の特徴は、メガネケースにおいて、蓋体は、収容側開口部とともに収容本体における外壁部の少なくとも一部も覆う形状に形成されていることにある。
【００１５】
このように構成した本発明の他の特徴によれば、メガネケースは、蓋体が収容側開口部とともに収容本体における外壁部の少なくとも一部も覆う形状に形成されているため、収容されるメガネを収容本体に加えて蓋体によっても保護することができ、保護精度を向上させることができる。また、蓋体が収容本体の外壁部を覆うことにより、蓋体の内壁部と収容本体の外壁部とが接触することによる摩擦によって蓋体を収容本体に留めることができる。
【００１６】
また、本発明の他の特徴は、メガネケースにおいて、蓋体は、収容本体における収容側開口部の長手方向の縁部から蓋体の長手方向が開放された状態でかつ同収容側開口部を覆うことができる形状で延びて形成されていることにある。
【００１７】
このように構成した本発明の他の特徴によれば、メガネケースは、蓋体における長手方向が開放された形状によって蓋体に長手方向の側面部がないため、メガネの収容作業がより行い易くなる。
【図面の簡単な説明】
【００１８】
【図１】本発明に係るメガネケースの外観構成を蓋体が開いた状態で示した斜視図である。
【図２】図１に示したメガネケースにおける蓋体が閉じた状態の外観構成を示した斜視図である。
【図３】図１に示すメガネケースにおいて蓋体を閉める過程を説明するための図であり、蓋体が完全に開いた状態を示す側面図である。
【図４】図１に示すメガネケースにおいて蓋体を閉める過程を説明するための図であり、蓋体が略半分閉じた状態を示す側面図である。
【図５】図１に示すメガネケースにおいて蓋体を閉める過程を説明するための図であり、蓋体が完全に閉じた状態を示す側面図である。
【図６】本発明の変形例に係るメガネケースの外観構成を蓋体が開いた状態で示した斜視図である。
【図７】（Ａ），（Ｂ）は図１に示すメガネケースにおいてテンプルが長いメガネを収容する過程を説明するための図であり、（Ａ）はメガネケースの収容本体内にメガネを配置した状態を示す側面図であり、（Ｂ）は、（Ａ）に示したメガネのテンプルを湾曲させて耳あて部を蓋体内に導入した状態を示す側面図である。
【図８】本発明の他の変形例に係るメガネケースの概略構成を示す側面図である。
【発明を実施するための形態】
【００１９】
以下、本発明に係るメガネケースの一実施形態について図面を参照しながら説明する。図１は、本発明に係るメガネケース１００の外観構成を蓋体が開いた状態で示した斜視図である。また、図２は、図１に示したメガネケース１００における蓋体が閉じた状態の外観構成を示した斜視図である。なお、本明細書において参照する各図は、本発明の理解を容易にするために一部の構成要素を誇張して表わすなど模式的に表している。このため、各構成要素間の寸法や比率などは異なっていることがある。また、本実施形態および変形例を示す各図においては、メガネＧを二点鎖線で示している。このメガネケース１００は、被収容物であるメガネＧを保管や持ち運びのために収容する入れ物である。
【００２０】
（メガネケース１００の構成）
メガネケース１００は、収容本体１０１を備えている。収容本体１０１は、被収容物であるメガネＧを収納可能な大きさの有底筒状に形成された箱型の入れ物であり、可撓性を有する材料（例えば、ＥＶＡ樹脂（エチレン‐酢酸ビニル共重合樹脂））によって構成されている。より具体的には、収容本体１０１は、メガネＧの幅および高さに対して一回り大きな略長方形状に形成された底部１０２の各辺上にそれぞれ板状の側壁１０３が起立して設けられることにより底部１０２に対向して収容側開口部１０４が形成された箱状に形成されている。
【００２１】
この場合、４つの側壁１０３の高さ、換言すれば収容本体１０１の深さは、底部１０２上にメガネＧのレンズＬ側を載置した際にメガネＧの耳あて部Ｅが収容側開口部１０４から露出する高さ（深さ）に設定されている。ここで、メガネＧにおける耳あて部Ｅは、メガネＧを顔面に装着する際に耳に掛けるＪ字状に曲がった部分であり、メガネＧにおけるレンズＲ側から延びるテンプルの先端部に形成されている。この耳あて部Ｅは、一般には「耳あて」、「モダン」または「先セル」と称されている部分である。また、この収容本体１０１は、底部１０２から収容側開口部１０４に向かって広がって底部１０２の面積より収容側開口部１０４の面積が大きい錐状に形成されている。
【００２２】
この収容本体１０１における収容側開口部１０４を構成する長手方向の一辺には、ヒンジ部１１０を介して蓋体１２０が設けられている。ヒンジ部１１０は、収容本体１０１に対して蓋体１２０を可動的に支持する部分であり、収容本体１０１を構成する４つの側壁１０３のうちの１つの側壁１０３が延びて形成されている。
【００２３】
蓋体１２０は、収容本体１０１の収容側開口部１０４および収容本体１０１の外周部の一部を覆う箱状の部材であり、可撓性を有する材料（例えば、ＥＶＡ樹脂（エチレン‐酢酸ビニル共重合樹脂））によって構成されている。すなわち、メガネケース１００は、収容本体１０１、ヒンジ部１１０および蓋体１２０が同一材料（本実施形態においては、ＥＶＡ樹脂）によって一体的に成形されている。
【００２４】
この蓋体１２０は、収容本体１０１の収容側開口部１０４に対して開いた状態において収容本体１０１の収容側開口部１０４から露出するメガネＧの耳あて部Ｅを覆うことができる大きさで形成されている。具体的には、蓋体１２０は、収容側開口部１０４から露出する耳あて部Ｅを覆うことができる幅および長さの長方形状に開口する蓋側開口部１２１を有した略直方体状の箱型に形成されている。また、蓋体１２０の内部は、収容本体１０１が出し入れ自在に嵌合する凹状に窪んだ形状、すなわち、蓋体１２０の内部が収容本体１０１の外形状に対応する反転形状であって同収容本体１０１の外形状よりも一回り大きな形状に形成された内壁部１２２によって構成されている。この場合、蓋体１２０の内部を構成する内壁部１２２における４つの隅部は、丸みを帯びた曲面形状に形成されている。
【００２５】
（メガネケース１００の作動）
次に、このように構成されたメガネケース１００の作動について説明する。まず、メガネケース１００のユーザは、メガネケース１００とこのメガネケース１００に収容するメガネＧとをそれぞれ用意する。本実施形態においては、メガネＧは、メガネＧにおけるレンズＬに対してテンプルＴを可動的に支持するヒンジを用いることなくテンプルＴ自身が湾曲可能に構成された所謂ヒンジレス型のメガネである。
【００２６】
次に、ユーザは、図１および図３に示すように、メガネケース１００における蓋体１２０を開くことにより収容本体１０１の収容側開口部１０４を外部に向かって開口させた後、メガネＧを収容本体１０１内に収容する。この場合、ユーザは、メガネＧにおける耳あて部Ｅが蓋体１２０側に延びる向きでレンズＬ側を収容本体１０１の底部１０２上に配置する。これにより、収容本体１０１における収容側開口部１０４からメガネＧのテンプルＴの一部および耳あて部Ｅが露出する。なお、ユーザは、メガネＧにおける耳あて部Ｅが蓋体１２０とは反対側に延びる向きで収容本体１０１内に配置することも可能である。
【００２７】
次に、ユーザは、図４に示すように、蓋体１２０を閉める。この場合、メガネケース１００における蓋体１２０は、収容側開口部１０４から露出するメガネＧの耳あて部Ｅを覆うことができる大きさに形成されているため、蓋体１２０を収容側開口部１０４側に傾斜させる際、メガネＧの耳あて部Ｅを蓋側開口部１２１から蓋体１２０内に導入した後、耳あて部Ｅを蓋体１２０の内壁部１２２で押圧しながら閉じられる。これにより、収容本体１０１内に収容されたメガネＧは、耳あて部Ｅが蓋体１２０の内壁部１２２に押圧されることによって蓋体１２０が閉じられていくに従ってテンプルＴが内側に湾曲する。この場合、メガネＧの耳あて部Ｅは、閉じられる蓋体１２０の内壁部１２２上を滑りながら同内壁部１２２に押圧される。
【００２８】
また、この蓋体１２０を閉じる作業においては、蓋体１２０の内部が収容本体１０１を嵌合させることができる形状に形成されているため、蓋体１２０ヒンジ部１１０を回転中心として回転変位して閉じられるに従って収容体本体１０１が蓋体１２０の内部に収容される。そして、蓋体１２０の蓋側開口部１２１が収容本体１０１の底部１０２に差し掛かった場合には、ユーザは、収容本体１０１の底部１０２を外側から内側に向かって押して収容本体１０１を蓋体１２０内に収容する。
【００２９】
これにより、メガネケース１００は、図５に示すように、蓋体１２０の内壁部１２２の一部が収容本体１０１の収容側開口部１０４を閉塞した状態でかつ蓋体１２０の蓋側開口部１２１と収容本体１０１の側壁１０３の１つが略面一となって収容本体１０１が収容された状態で閉じられる。この場合、メガネケース１００内に配置されたメガネＧは、収容側開口部１０４を塞ぐ蓋体１２０の内壁部１２２に押圧されることによって収容本体１０１内において収容側開口部１０４と略面一となる状態までテンプルＴが撓んで湾曲した状態で収容され保管される。
【００３０】
また、メガネケース１００は、蓋体１２０が収容本体１０１の外壁部を覆うことにより、蓋体１２０の内壁部１２２と収容本体１０１の外壁部とが摩擦接触するため、蓋体１２０が収容本体１０１に留められて不意に開くことが防止される。なお、メガネケース１００は、蓋体１２０と収容本体１０１とをホック、ボタンおよび面ファスナなどの留め具によって留めるように構成することもできる。
【００３１】
一方、閉じられた状態のメガネケース１００からメガネＧを取り出す場合には、ユーザは、蓋体１２０を閉じる手順とは逆の手順によってメガネケース１００を開けることができる。すなわち、ユーザは、蓋体１２０内から収容本体１０１を底部１０２側から抜き出して蓋体１２０をヒンジ部１１０を回転中心として収容本体１０１に対して回転変位させる。これにより、収容本体１０１内に収容されているメガネＧは、蓋体１２０が開くに従って押圧された状態が解消されるため、テンプルＴが延びた状態に復元する（図３参照）。したがって、ユーザは、蓋体１２０が開放することにより形状が復元した状態のメガネＧを収容本体１０１内から取り出すことができる。
【００３２】
上記作動説明からも理解できるように、上記実施形態によれば、メガネケース１００は、メガネＧを収容する収容本体１０１がメガネＧの耳あて部Ｅを露出する深さに形成されるとともにこの収容本体１０１を覆う蓋体１２０が収容本体１０１から露出した耳あて部Ｅを覆うことができる大きさで構成されている。したがって、ユーザは、テンプルＴが開いた状態でメガネＧを収容本体内に収容した後、蓋体１２０を閉じることにより収容本体１０１から露出する耳あて部Ｅを蓋体１２０が押圧することによりテンプルＴを湾曲させながら蓋体１２０を閉めることができる。すなわち、本発明に係るメガネケース１００は、蓋体１２０を閉じることによってメガネＧのテンプルＴを折り畳むことができる。これにより、本発明に係るメガネケース１００は、メガネＧのテンプルＴの折り畳み作業を独立して行うことなくテンプルＴを折り畳んだ状態で収容することができる。
【００３３】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００３４】
例えば、上記実施形態においては、メガネケース１００は、収容本体１０１および蓋体１２０を略直方体状に形成した。しかし、メガネケース１００は、収容本体１０１がメガネＧにおける耳あて部Ｅを収容側開口部１０４から露出させた状態で収容する深さで形成されるとともに、蓋体１２０が収容本体１０１から露出する耳あて部Ｅを覆うことができる大きさに形成されていればよく、必ずしも上記実施形態に限定されるものではない。したがって、メガネケース１００は、直方体以外の形状、例えば、直方体、球体または楕円体などであってもよいし、人、動物、植物、キャラクタ、建造物、構造物、美術品または食品の外形を模した形状に成形することもできる。
【００３５】
また、上記実施形態においては、メガネケース１００は、蓋体１２０が収容体１０１を収容するように構成した。しかし、蓋体１２０は、収容本体１０１から露出する耳あて部Ｅを覆うことができる大きさに形成されていればよく、必ずしも上記実施形態に限定されるものではない。したがって、蓋体１２０は、例えば、単に収容本体１０１における収容側開口部１０４のみを覆う形状に形成されていてもよい。
【００３６】
また、蓋体１２０は、例えば、図６に示すように、収容本体１０１における収容側開口部１０４の長手方向の縁部から収容側開口部１０４を覆うことができる長方形状に延びた後、メガネケース１００の長手方向の中心部に向かって長さが狭まる台形形状（展開状態において）に形成することもできる。この場合、蓋体１２０は、蓋体１２０の先端部の内壁部と収容本体１０１の底部外壁部に設けた一対の面ファスナ（図示せず）によって収容本体１０１に着脱自在に留められる。これによれば、メガネケース１００は、蓋体１２０に長手方向の側面部がない、換言すれば蓋体１２０における長手方向が開放された形状に形成されているため、メガネＧの収容作業がより行い易くなる。
【００３７】
なお、この場合、蓋体１２０は、メガネケース１００の長手方向の中心部に向かって長さが狭まる部分の展開状態の形状が台形形状以外の形状、例えば、方形状（つまり、長手方向の長さが一定）、三角形状または円形状などであってもよい。また、これらの場合、蓋体１２０は、収容本体１０１における収容側開口部１０４を完全に覆う必要はなく、メガネＧを収容することができ、かつ収容本体１０１に収容したメガネＧが漏出しない程度に覆う形状であればよい。また、このメガネケース１００においてもメガネＧにおける耳あて部Ｅが蓋体１２０とは反対側に延びる向きで収容本体１０１内に配置することも可能である。
【００３８】
また、上記実施形態においては、メガネケース１００は、ＥＶＡ樹脂で構成されている。しかし、メガネケース１００は、メガネＧを損傷することなく保管することができる材料であれば、必ずしも上記実施形態に限定されるものではない。したがって、メガネケース１００は、ＥＶＡ樹脂以外の材料、例えば、ＥＶＡ樹脂以外の樹脂材（例えば、ナイロン樹脂など）、金属、木材、布材および革材を単独でまたはこれらを適宜組み合わせて構成することがきる。これらの場合、メガネケース１００は、例えば、収容本体１０１をＥＶＡ樹脂などの剛性のある材料で構成するとともに、蓋体１２０を布材や革材などの柔軟性のある材料で構成することもできる。なお、収容本体１０１と蓋体１２０とを可動的に連結するヒンジ部１１０も収容本体１０１および蓋体１２０の材料に応じて適宜樹脂以外の材料、例えば、金属、木材、布材および革材を単独でまたはこれらを適宜組み合わせて構成することがきる。
【００３９】
また、上記実施においては、蓋体１２０は、収容本体１０１における収容側開口部１０４を閉塞するように構成した。しかし、蓋体１２０は、収容本体１０１から露出する耳あて部Ｅを覆うことができる大きさに形成されていればよく、必ずしも上記実施形態に限定されるものではない。したがって、蓋体１２０は、例えば、収容本体１０１の収容側開口部１０４に対して内壁部１２２との間に隙間を介するように構成してもよいし、内壁部１２２の一部を突出させて形成することにより収容側開口部１０４を貫通して収容本体１０１内に入り込むように構成することもできる。
【００４０】
また、上記実施形態においては、収容本体１０１は、底部１０２側から収容側開口部１０４側に向かって広がる形状に形成した。これにより、メガネケース１００は、収容本体１０１内におけるメガネＧのレンズＲ側のズレを抑制しながらテンプルＴの傾斜角を調整することができ、耳あて部Ｅを蓋体１２０内に挿入し易くなる。特に、図７（Ａ）に示すように、メガネＧにおけるテンプルＴおよび耳あて部Ｅの長さが蓋体１２０における蓋側開口部１２１よりも長い場合には、図７（Ｂ）に示すように、メガネＧの姿勢を傾けたりテンプルＴを撓ませたりすることによって耳あて部Ｅを蓋体１２０内に挿入することができる。
【００４１】
また、上記実施形態においては、蓋体１２０の内壁部１２２は、５つの各面を平面状に形成しつつ隅部を曲面状に形成した。これにより、メガネＧにおける耳あて部Ｅの引っ掛かりを防いで円滑に内壁部１２２上を摺動させることができる。しかし、蓋体１２０の内壁部１２２は、メガネＧにおける耳あて部Ｅを円滑に内壁部１２２上を摺動させることができる形状に形成されていれば、上記実施形態に限定されるものではない。したがって、蓋体１２０の内壁部１２２は、例えば、平面（斜面を含む）のみの組合せ、平面（斜面を含む）と曲面との組み合わせのほか、図８に示すように、メガネＧの耳あて部Ｅが最初に接触する部分から収容側開口部１０４に対向する部分までを連続する曲面で構成することもできる。これによれば、メガネケース１００は、メガネＧにおける耳あて部Ｅをより一層円滑に内壁部１２２上を摺動させることができる。
【００４２】
また、上記実施形態および上記各変形例におけるメガネケース１００は、ユーザの身体に装着するための装着部を設けることもできる。例えば、メガネケース１００は、メガネケース１００を首や肩に掛けるための紐からなる装着部を備えることができる。また、メガネケース１００は、例えば、図５における二点鎖線で示すように、ユーザの腰ベルトを通すことができる貫通孔を有した筒状体からなる装着部１３０を備えることもできる。これらによれば、ユーザは、メガネケース１００の持ち運びが容易となる。
【００４３】
また、上記実施形態においては、メガネケース１００に収容するメガネＧをヒンジレス型のメガネで構成した。しかし、メガネケース１００に収容するメガネＧは、ヒンジレス型以外のメガネＧ、例えば、レンズＲに対してテンプルＴがヒンジを介して可動的に連結されたタイプのものを用いることができる。この場合、ヒンジには、兆番などで構成されたヒンジのほかに、テンプルＴの一部をＵ字状、Ｓ字状、Ｗ字状に屈曲させて構成されたものを含むものである。
【００４４】
Ｇ…メガネ、Ｌ…レンズ、Ｔ…テンプル、Ｅ…耳あて部、
１００…メガネケース、１０１…収容本体、１０２…底部、１０３…側壁、１０４…収容側開口部、
１１０…ヒンジ部、
１２０…蓋体、１２１…蓋側開口部、１２２…内壁部、
１３０…装着部。
【図１】
2014213120.tif 000003
【図２】
2014213120.tif 000004
【図３】
2014213120.tif 000005
【図４】
2014213120.tif 000006
【図５】
2014213120.tif 000007
【図６】
2014213120.tif 000008
【図７】
2014213120.tif 000009
【図８】
2014213120.tif 000010